(57)【要約】【課題】抜き治具を用いて本係合状態のリアホルダをハウジング本体から容易に仮係合状態に移行する。【解決手段】リアホルダ２をハウジング本体１に対する本係合状態から外す場合には、ドライバ状の抜き治具Ｔを弾発片２４のスリット２６から挿し込んで、ハウジング本体１の第２の係止突起１２の案内溝１２ｂに沿ってその先端を第２の係止突起１２の後部に当接する。続いて、抜き治具Ｔのてこ作用によって、弾発片２４を外側に押し広げると、第１の係止突起２７は第２の係止突起１２から外れる。リアホルダ２の反対側の第１の係止突起２７についても同様に第２の係止突起１２から外し、リアホルダ２を引き抜くと仮係合状態となる。【選択図】　　　　図１０
2004039535.tif 000002
【特許請求の範囲】
【請求項１】
電線を接続した接続端子を後部から収容する合成樹脂製のハウジング本体と、該ハウジング本体の後部に係合して前記接続端子の前記ハウジング本体からの抜け出しを防止する合成樹脂製のリアホルダとから成り、前記ハウジング本体と前記リアホルダとは、前記リアホルダを前記ハウジング本体に対してその軸線方向に略中間まで挿入した位置にあって前記接続端子の前記ハウジング本体への挿入を許容する仮係合位置と、前記リアホルダを十分に押し込んだ位置であって前記接続端子の前記ハウジング本体からの抜け出しを防止する本係合位置とにおいて係合する電気コネクタハウジングにおいて、前記ハウジング本体の後端部には側方に突出するハウジング側係止部を備え、前記リアホルダの側方に先端を外側に向けたＬ字状の弾発片を設け、該弾発片の内側には前記ハウジング側係止部と係止する係止突起から成るリアホルダ側係止部を形成し、前記弾発片のＬ字の折曲部にスリットを形成したことを特徴とする電気コネクタハウジング。
【請求項２】
前記本係合位置における前記リアホルダを前記ハウジング本体から外す際に、前記スリットを介して治具を前記ハウジング本体に掛止し、てこ作用により前記弾発片を外側に変形し前記リアホルダ側係止部を前記ハウジング側係止部から外すようにした請求項１に記載の電気コネクタハウジング。
【請求項３】
前記ハウジング側係止部の表面には前記治具を案内するための溝部を形成した請求項１に記載の電気コネクタハウジング。
【発明の詳細な説明】
【０００１】
【発明の属する技術分野】
本発明は、例えば自動車のワイヤハーネス等に使用可能な電気コネクタハウジングに関するものである。
【０００２】
【従来の技術】
従来のこの種の電気コネクタハウジングでは、電線を接続した複数の接続端子をハウジング本体に後部から挿入し、ハウジング本体内に設けた係止アームにより接続端子を係止し、同時ハウジング本体の後部に係合したリアホルダの一部により接続端子を係止している場合が多い。
【０００３】
一方、ハウジング本体とリアホルダとを、リアホルダをハウジング本体に略中間まで挿入した仮係合位置と、リアホルダをハウジング本体に対して十分に押し込んだ本係合位置とにおいて係合し、仮係合位置において接続端子をハウジング本体に挿入し、本係合位置において接続端子を係止する場合もある。
【０００４】
【発明が解決しようとする課題】
しかしながら、リアホルダを本係止状態から仮係止状態に戻すことを必要とする場合に、リアホルダを本係合状態から解除することは極めて厄介である。また、リアホルダがハウジング本体に対して確実に係合しているかどうかもなかなか分かり難い場合がある。
【０００５】
本発明の目的は、上述の問題点を解消し、リアホルダを本係合状態から仮係合位置に容易に偏位し得ると共に、係合状態を確認し得る電気コネクタハウジングを提供することにある。
【０００６】
【課題を解決するための手段】
上記目的を達成するための本発明に係る電気コネクタハウジングは、電線を接続した接続端子を後部から収容する合成樹脂製のハウジング本体と、該ハウジング本体の後部に係合して前記接続端子の前記ハウジング本体からの抜け出しを防止する合成樹脂製のリアホルダとから成り、前記ハウジング本体と前記リアホルダとは、前記リアホルダを前記ハウジング本体に対してその軸線方向に略中間まで挿入した位置にあって前記接続端子の前記ハウジング本体への挿入を許容する仮係合位置と、前記リアホルダを十分に押し込んだ位置であって前記接続端子の前記ハウジング本体からの抜け出しを防止する本係合位置とにおいて係合する電気コネクタハウジングにおいて、前記ハウジング本体の後端部には側方に突出するハウジング側係止部を備え、前記リアホルダの側方に先端を外側に向けたＬ字状の弾発片を設け、該弾発片の内側には前記ハウジング側係止部と係止する係止突起から成るリアホルダ側係止部を形成し、前記弾発片のＬ字の折曲部にスリットを形成したことを特徴とする。
【０００７】
【発明の実施の形態】
本発明を図示の実施の形態に基づいて詳細に説明する。
図１、図２はそれぞれ実施の形態におけるハウジング本体１、リアホルダ２の側面図である。ハウジング本体１には電線を接続した複数の接続端子を収容する隔壁により仕切られた図示しない複数の端子収容室が形成されている。リアホルダ２はこのハウジング本体１の後部に係合して、ハウジング本体１に収容した接続端子を抜け止めするようになっている。そして、これらのハウジング本体１とリアホルダ２は、合成樹脂材からそれぞれ形成されている。
【０００８】
リアホルダ２のホルダ本体２１には、接続端子を挿通する端子挿通孔を有すると共に、ハウジング本体１の端子収容室に進入して接続端子を個々に係止する可撓性を有する係止アーム２２が、図３に示すように前方に向けて設けられている。また、ホルダ本体２１の後縁の上下部には、ハウジング本体１の上下外壁に当接するフランジ２３が形成され、ホルダ本体２１の両側面には、端部を外側に向けた断面Ｌ字状の板体から成る弾発片２４が上下２個所においてホルダ本体２１に固定されている。
【０００９】
弾発片２４の後方の自由端にはＬ字状に外側を向く突部２５が形成されている。弾発片２４の基部側の中央部は上下方向に所定幅で剥り抜かれ、弾発片２４のＬ字の角部内側においてもほぼ同じ幅で剥り抜かれたスリット２６が形成されている。これにより弾発片２４の内側には、図４に示すように略台形状の第１の係止突起２７が形成されている。この第１の係止突起２７は略台形状とされ、ハウジング本体１に向く面は円弧面２７ａとされ、ハウジング本体１との反対面は垂直面２７ｂとされている。
【００１０】
また、ハウジング本体１の側方には、リアホルダ２の弾発片２４を受け入れる戸袋部１１が額縁状に設けられている。また、ハウジング本体１の後部側方の両側には外方に向けた断面略矩形状の第２の係止突起１２が形成され、この第２の係止突起１２の前縁１２ａは第１の係止突起２７の垂直面２７ｂが水平方向に係合するようにされている。また、第２の係止突起１２の表面には、治具の案内溝１２ｂが水平方向に形成されている。
【００１１】
接続端子をハウジング本体１に挿入する際には、図４に示すようにリアホルダ２の係止アーム２２をハウジング本体１の軸線方向に沿って端子収容室に挿入する。これにより、図５にも示すようにリアホルダ２の左右の弾発片２４がハウジング本体１の戸袋部１１に嵌入すると共に、係止アーム２２は各端子収容室に若干挿入される。しかし、リアホルダ２の第１の係止突起２７の円弧面２７ａがハウジング本体１の第２の係止突起１２の後縁に当接し、リアホルダ２はハウジング本体１に対する仮係合位置に係合する。
【００１２】
この状態で、電線を接続した図示しない接続端子をリアホルダ２の端子挿通孔を介してハウジング本体１の端子収容室に挿入すると、各接続端子はリアホルダ２の係止アーム２２を撓ませながら前進し、端子収容室の所定位置に収まる。
【００１３】
全ての接続端子をハウジング本体１に挿入した後に、リアホルダ２を手指により押圧しながら前方に押し込む。これにより、リアホルダ２の第１の係止突起２７はその前方の円弧面２７ａによって、図６に示すように外側に押されて弾発片２４の基部において撓みながら、ハウジング本体１の戸袋部１１に入り込み、第１の係止突起２７が第２の係止突起１２を乗り込えた段階で復元し、図７、図８に示すように本係合状態となる。この状態で、接続端子はリアホルダ２の係止アーム２２及びホルダ本体２１の基部により正規の位置まで押し込まれると共に、各接続端子は係止アーム２２により固定され、ホルダ本体２１の基部によって後方への抜け止めが防止される。
【００１４】
この状態において、リアホルダ２は本係合位置に確実に保持できる。また、この本係合状態は図７に示すように第１の係止突起２７が第２の係止突起１２に係止していることを視認することにより確認できる。なお、ハウジング本体１とリアホルダ２とを異色の材料により造ると、視認が容易となる。
【００１５】
リアホルダ２をハウジング本体１から外す場合には、図９に示すようにドライバ状の抜き治具Ｔを弾発片２４のスリット２６から挿し込んで、図１０に示すようにハウジング本体１の第２の係止突起１２の案内溝１２ｂに沿ってその先端を第２の係止突起１２の後部に当接する。続いて、抜き治具Ｔのてこ作用によて、図１１に示すように弾発片２４を外側に押し拡げると共に、弾発片２４を戸袋部１１から引き出すようにすると、第１の係止突起２７は第２の係止突起１２から外れる。リアホルダ２の反対側の第１の係止突起２７についても同様に第２の係止突起１２から外し、リアホルダ２を引き抜くと、図６の状態を経て図４、図５に示すように仮係合状態とすることができる。
【００１６】
【発明の効果】
以上説明したように本発明に係る電気コネクタハウジングでは、本係合位置においてハウジング本体のハウジング側係止部にリアホルダのリアホルダ側係止部を係止し、リアホルダを外す際には治具によりリアホルダ側係止部を外側に拡げて本係合状態を解除できると共に、係合状態を確認することができる。
【図面の簡単な説明】
【図１】ハウジング本体の側面図である。
【図２】リアホルダの側面図である。
【図３】リアホルダの斜視図である。
【図４】仮係合状態ハウジング本体とリアホルダの一部断面図である。
【図５】仮係合状態のハウジング本体とリアホルダの側面図である。
【図６】作用説明図である。
【図７】本係合状態のハウジング本体とリアホルダの側面図である。
【図８】作用説明図である。
【図９】作用説明図である。
【図１０】作用説明図である。
【図１１】作用説明図である。
【符号の説明】
１　ハウジング本体
２　リアホルダ
１１　戸袋部
１２、２７　係止突起
２１　ホルダ本体
２２　係止アーム
２４　弾発片
２５　突起
２６　スリット
Ｔ　抜き治具
【図１】
2004039535.tif 000003
【図２】
2004039535.tif 000004
【図３】
2004039535.tif 000005
【図４】
2004039535.tif 000006
【図５】
2004039535.tif 000007
【図６】
2004039535.tif 000008
【図７】
2004039535.tif 000009
【図８】
2004039535.tif 000010
【図９】
2004039535.tif 000011
【図１０】
2004039535.tif 000012
【図１１】
2004039535.tif 000013